(57)【要約】【課題】フラットケーブル用のコネクタ位置に束縛され基板の小型化が困難であった。【解決手段】液晶モジュール２０の背面２６に設置したコントロール基板２３を、液晶モジュール２０の上側側面２５における左右の領域に設置した２つの駆動基板回路２４ａ，２４ｂにフラットケーブル３０にて接続する場合に、基板間を繋ぐ各フラットケーブル３０について、その途中で面が重なるように折り曲げることによりその延出方向を略平行にずらしたり略直角に曲げるとした。従って、一本のフラットケーブル３０にて接続される関係にある各基板のコネクタ同士であって、液晶モジュール２０の表面に沿った互いからの延出線上から外れた位置に存在するコネクタ同士をフラットケーブル３０にて接続することが可能となった。【選択図】図２
2007316311.tif 000002
【特許請求の範囲】
【請求項１】
画面サイズが２７インチ以上である液晶パネルと、液晶パネルの背面側に配設されたバックライトユニットと、バックライトユニットの背面側に設置された基板であって、テレビジョン放送信号に基づいて映像信号を復調し復調した映像信号に基づいて液晶パネルの画素毎のＲＧＢ信号を生成するとともに電源供給の制御を実行するコントロール回路を実装したコントロール基板と、液晶パネルとバックライトユニットとを含む装置の所定位置に設置された基板であって、コントロール回路からＲＧＢ信号および電源の供給を受けることによって液晶パネル内において垂直方向を向いて配設された複数の信号電極を駆動する信号側駆動回路を実装した駆動回路基板とを具備し上記コントロール基板に取り付けられた第１コネクタと上記駆動回路基板に取り付けられた第２コネクタとをフラットケーブルにて接続した液晶モジュール、をテレビジョンキャビネット内に収容した液晶テレビジョンにおいて、
上記コントロール基板を、液晶モジュールの上側の長辺付近において、液晶モジュールの垂直方向の中心線上に基板の略中心が位置する状態で設置するとともに、４つの第１コネクタを、上記長辺側に向いた状態で且つ上記垂直方向の中心線を挟んで左右に２つずつ配置した状態で取り付け、
１つの信号側駆動回路と２つの第２コネクタとを各々実装した２つの駆動回路基板を、液晶モジュールの前面と背面とを接続する各側面のうち上記長辺に対応する側面における、上記垂直方向の中心線を挟んだ左右の位置に１つずつ設置するとともに、４つの第２コネクタについて、液晶モジュールの背面側に向いた状態とし且つ上記垂直方向の中心線を挟んだ内側２つの第２コネクタ間の距離を上記４つの第１コネクタにおける内側の第１コネクタ間の距離よりも長くし、外側２つの第２コネクタ間の距離を上記４つの第１コネクタにおける外側の第１コネクタ間の距離よりも長くした状態で取り付け、
上記垂直方向の中心線より右側の第１コネクタと第２コネクタとの接続は、第１コネクタに接続したフラットケーブルを、その途中にてケーブルの面が重なるように右側に１回折り曲げ、折り曲げた先の所定箇所にてケーブルの面が重なるように上記垂直方向に１回折り曲げることによって行い、上記垂直方向の中心線より左側の第１コネクタと第２コネクタとの接続は、第１コネクタに接続したフラットケーブルを、その途中にてケーブルの面が重なるように左側に１回折り曲げ、折り曲げた先の所定箇所にてケーブルの面が重なるように上記垂直方向に１回折り曲げることによって行い、
上記内側の第１コネクタと第２コネクタとをそれぞれ接続する２本のフラットケーブルは、コントロール回路から各信号側駆動回路へのＲＧＢ信号の供給に用い、上記外側の第１コネクタと第２コネクタとをそれぞれ接続する２本のフラットケーブルは、コントロール回路から各信号側駆動回路への電源の供給に用いることを特徴とする液晶テレビジョン。
【請求項２】
前面側に表示パネルを含む装置本体の背面側に設置された第１基板と装置本体の所定位置に設置された第２基板とをフラットケーブルにて接続したパネル型表示装置において、
第１基板に設けられた第１ケーブル接続部と、第２基板に設けられたケーブル接続部であって上記第１ケーブル接続部から装置本体の表面に沿って引き出したケーブルの延長線上からずれた位置に設けられた第２ケーブル接続部とを、フラットケーブルをその途中にてケーブルの面が重なるように折り曲げることにより接続したことを特徴とするパネル型表示装置。
【請求項３】
第１ケーブル接続部と第２ケーブル接続部とは、各々から装置本体の表面に沿って引き出したケーブルが略平行となるように設けられており、上記フラットケーブルをその途中の２箇所にて折り曲げることによって接続されていることを特徴とする請求項２に記載のパネル型表示装置。
【請求項４】
第１ケーブル接続部と第２ケーブル接続部とは、各々から装置本体の表面に沿って引き出したケーブルが略直角に交わるように設けられており、上記フラットケーブルをその途中の１箇所にて略直角に折り曲げることによって接続されていることを特徴とする請求項２に記載のパネル型表示装置。
【請求項５】
上記第２基板は、装置本体の前面と背面とを接続する各側面のうち１つの側面において、当該１つの側面の略中心領域を挟んだ両側にそれぞれ１つずつ設置されていることを特徴とする請求項２〜請求項４のいずれかに記載のパネル型表示装置。
【発明の詳細な説明】
【技術分野】
【０００１】
本発明は、パネル型表示装置に搭載した基板間の接続構造に関する。
【背景技術】
【０００２】
図４は、従来より実施されていた基板間の接続構造を示している。
同図おいては、基板１が備えるコネクタ３と、基板２が備えるコネクタ４との間を帯状のケーブル（フラットケーブル）５で繋ぐことにより、基板１と基板２とをデータ通信可能に接続している。基板１，２は共に１つの液晶モジュールに搭載された基板であり、基板１は、映像信号の復調などを実行する図示しないコントロール回路を実装しており、基板２は、基板１において生成された映像信号に基づいて液晶パネルを駆動させる図示しない駆動回路を実装している。
【０００３】
また従来技術として、表示領域およびドライバ回路を有する第１の基板と、制御回路を有する第２の基板とをフレキシブルケーブルにて接続する液晶表示装置が知られている（特許文献１参照。）。
【特許文献１】特開２０００‐１７２１９２号公報
【発明の開示】
【発明が解決しようとする課題】
【０００４】
従来では、図のように基板間をフラットケーブルにて接続する場合、一方の基板のコネクタから真直ぐに延出させたケーブルを、他方の基板のコネクタに接続していた。よって、従来の接続構造では、一本のフラットケーブルで接続されるコネクタ同士は、一方のコネクタからフラットケーブルを液晶モジュールの表面に沿って引き出した場合にその引き出したケーブルの延長線上に他方のコネクタが位置している必要があった。
【０００５】
しかし、このような接続構造は、基板の小型化やレイアウトの自由度を大きく損なうという課題があった。例えば、製造コスト低減の観点から、基板１について１点鎖線で示したように小型化したり２点鎖線で示したように設置位置を変更すると、基板１のコネクタ３と基板２のコネクタ４との位置がずれてしまう。その結果、基板１，２間をフラットケーブルにて接続できず、上記小型化や位置変更が困難となっていた。あるいは、上記基板１の小型化や位置変更を行った場合には、これに伴って生じるコネクタ３とコネクタ４との位置ずれを解消するために、基板２の側について本来望まない大型化や位置変更やコネクタ位置の変更の必要が生じていた。
基板の小型化不能やレイアウトの自由度の低下、あるいは、小型化やレイアウト変更の対象とした基板とは別の基板についての不要な大型化等は、液晶モジュールの製造コストのアップにつながってしまう。
【０００６】
また、上記文献１においても同文献の図６に示されるように、部材間は各部材における取り付け位置からストレートに延出したフレキシブルケーブルによって接続されているだけであるため、上述した課題は未解決のままであった。
【０００７】
本発明は上記課題に鑑みてなされたもので、パネル型表示装置に搭載した基板について、所望する小型化や設置位置の変更を柔軟に実現させ、その結果、パネル型表示装置の製造コストを削減することの可能な基板間の接続構造を提供することを目的とする。
【課題を解決するための手段】
【０００８】
上記目的を達成するために本発明は、前面側に表示パネルを含む装置本体の背面側に設置された第１基板と装置本体の所定位置に設置された第２基板とをフラットケーブルにて接続したパネル型表示装置において、第１基板に設けられた第１ケーブル接続部と、第２基板に設けられた第２ケーブル接続部とを接続する。第２ケーブル接続部は、第１ケーブル接続部から装置本体の表面に沿って引き出したケーブルの延長線上からずれた位置に設けられており、フラットケーブルは、その途中にてケーブルの面が重なるように折り曲げることにより上記２つの接続部間を繋いでいる。
【０００９】
すなわち本発明では、２つの基板間をフラットケーブルにて接続する場合に、フラットケーブルの途中にてケーブルの面が重なるように折り曲げる。そのため、パネル型表示装置の表面に沿った互いの延出線上にて向き合っていない状態の第１および第２ケーブル接続部について、一本のフラットケーブルで接続することが可能となる。従って、フラットケーブルで接続し合う各基板におけるケーブル接続部の位置が固定化されなくなり、その結果、基板について所望の小型化や設置位置の変更が可能となり、ひいてはパネル型表示装置の製造コストが低減される。
【００１０】
フラットケーブルによる接続態様は種々考えら、一例として、第１ケーブル接続部と第２ケーブル接続部とは、各々から装置本体の表面に沿って引き出したケーブルが略平行となるように設けられており、フラットケーブルをその途中の２箇所にて折り曲げることによって接続されるとしてもよい。つまり、第１ケーブル接続部と第２ケーブル接続部とが互いに向き合ってはいるが、各々が向いている方向が略平行にずれている場合に、フラットケーブルをその途中の２箇所にて折り曲げることによって接続する。この結果、第１ケーブル接続部と第２ケーブル接続部との位置ずれを許容した状態で各基板について所望する小型化や設置位置の変更を実現でき、かつ、上記位置ずれを解消するためにわざわざ基板を大型化等する必要が無くなる。
【００１１】
フラットケーブルによる接続態様の他の例として、第１ケーブル接続部と第２ケーブル接続部とは、各々から装置本体の表面に沿って引き出したケーブルが略直角に交わるように設けられており、フラットケーブルをその途中の１箇所にて略直角に折り曲げることによって接続されているとしてもよい。つまり、第１ケーブル接続部と第２ケーブル接続部とが略９０度違う方向を向いている場合に、フラットケーブルをその途中の１箇所にて略直角に折り曲げることによって接続する。この結果、第１ケーブル接続部と第２ケーブル接続部との向きの相違が存在したままで各基板について所望する小型化や設置位置の変更を実現でき、かつ、上記向きの相違を解消するための基板位置の変更やケーブル接続部の位置の変更を行う必要が無くなる。
【００１２】
上述したように、第１基板は装置本体の背面側に設置されているが、第１基板との接続対象となる第２基板は、装置本体の前面と背面とを接続する各側面のうち１つの側面において、当該１つの側面の略中心領域を挟んだ両側にそれぞれ１つずつ設置されているとしてもよい。このような第１基板と２つの第２基板との配置関係を採用した場合、従来のケーブル接続構造では、第１基板は、両第２基板の第２ケーブル接続部からの延出線上にてそれぞれ第１ケーブル接続部が位置するような構成を採る必要があったため、基板のサイズが大型化したり、その設置位置が非常に限られたりしていた。しかし、本発明を採用すれば、第１ケーブル接続部と第２ケーブル接続部との位置関係は極めて自由となるため、上記のような第１基板と２つの第２基板との配置関係においても、第１基板について所望する小型化や設置位置の変更が実現でき、かつ、２つの第２基板について不要な大型化等を行う必要が無くなる。
【００１３】
上記各構成を踏まえより具体的な発明として、画面サイズが２７インチ以上である液晶パネルと、液晶パネルの背面側に配設されたバックライトユニットと、バックライトユニットの背面側に設置された基板であって、テレビジョン放送信号に基づいて映像信号を復調し復調した映像信号に基づいて液晶パネルの画素毎のＲＧＢ信号を生成するとともに電源供給の制御を実行するコントロール回路を実装したコントロール基板と、液晶パネルとバックライトユニットとを含む装置の所定位置に設置された基板であって、コントロール回路からＲＧＢ信号および電源の供給を受けることによって液晶パネル内において垂直方向を向いて配設された複数の信号電極を駆動する信号側駆動回路を実装した駆動回路基板とを具備し上記コントロール基板に取り付けられた第１コネクタと上記駆動回路基板に取り付けられた第２コネクタとをフラットケーブルにて接続した液晶モジュール、をテレビジョンキャビネット内に収容した液晶テレビジョンにおいて、
上記コントロール基板を、液晶モジュールの上側の長辺付近において、液晶モジュールの垂直方向の中心線上に基板の略中心が位置する状態で設置するとともに、４つの第１コネクタを、上記長辺側に向いた状態で且つ上記垂直方向の中心線を挟んで左右に２つずつ配置した状態で取り付け、１つの信号側駆動回路と２つの第２コネクタとを各々実装した２つの駆動回路基板を、液晶モジュールの前面と背面とを接続する各側面のうち上記長辺に対応する側面における、上記垂直方向の中心線を挟んだ左右の位置に１つずつ設置するとともに、４つの第２コネクタについて、液晶モジュールの背面側に向いた状態とし且つ上記垂直方向の中心線を挟んだ内側２つの第２コネクタ間の距離を上記４つの第１コネクタにおける内側の第１コネクタ間の距離よりも長くし、外側２つの第２コネクタ間の距離を上記４つの第１コネクタにおける外側の第１コネクタ間の距離よりも長くした状態で取り付け、上記垂直方向の中心線より右側の第１コネクタと第２コネクタとの接続は、第１コネクタに接続したフラットケーブルを、その途中にてケーブルの面が重なるように右側に１回折り曲げ、折り曲げた先の所定箇所にてケーブルの面が重なるように上記垂直方向に１回折り曲げることによって行い、上記垂直方向の中心線より左側の第１コネクタと第２コネクタとの接続は、第１コネクタに接続したフラットケーブルを、その途中にてケーブルの面が重なるように左側に１回折り曲げ、折り曲げた先の所定箇所にてケーブルの面が重なるように上記垂直方向に１回折り曲げることによって行い、上記内側の第１コネクタと第２コネクタとをそれぞれ接続する２本のフラットケーブルは、コントロール回路から各信号側駆動回路へのＲＧＢ信号の供給に用い、上記外側の第１コネクタと第２コネクタとをそれぞれ接続する２本のフラットケーブルは、コントロール回路から各信号側駆動回路への電源の供給に用いる構成を把握することができる。
【００１４】
すなわち、液晶テレビジョンという具体的製品においても、上記各パネル型表示装置と同様の作用および効果を奏する。
【発明を実施するための最良の形態】
【００１５】
以下では、各図を参照して本発明の一実施形態を説明する。
図１は、液晶テレビジョン１００を構成する各部品を液晶テレビジョン１００の背面側からの斜視図により示している。同図では、前面側キャビネット１０と、液晶モジュール２０とを示している。前面側キャビネット１０は、合成樹脂によって成形されかつ背面側が開放された筐体である。前面側キャビネット１０は、その前面１１の略中央に、筐体内部に収容される液晶モジュール２０の画面を外部に露見させるための開口１２を形成している。前面１１の上下左右の縁部からは、背面側に向かって各側面１３が延出している。
【００１６】
液晶モジュール２０は、概略、液晶パネル２１と、液晶パネル２１の背面側に設置されたバックライトユニット２２と、各種基板とから構成されている。同図では、液晶モジュール２０は、１つのコントロール基板２３と、２つの駆動回路基板２４ａ，２４ｂとを搭載している。液晶パネル２１は、概略、２枚のガラス基板の間に各種電極や液晶物質を備えており、マトリクス状に画素が配列している。バックライトユニット２２は、蛍光管からなるバックライトやバックライトを駆動させるインバータなどを備える。
【００１７】
コントロール基板２３は、液晶テレビジョン１００による映像表示を制御するためのコントロール回路を実装している。コントロール回路は、チューナによって受信されたテレビジョン放送信号から映像信号を復調するとともに、この映像信号に基づいて液晶パネル２１の画素毎のＲＧＢ信号を生成する映像信号処理を実行する。また、コントロール回路は、電源回路が生成した電源を液晶テレビジョン１００を構成する各回路に供給する制御処理も実行する。コントロール基板２３は、液晶モジュール２０の背面（バックライトユニット２２の背面側）の所定位置に設置される。
【００１８】
駆動回路基板２４ａ，２４ｂは、コントロール回路から上記ＲＧＢ信号および電源の供給を受けることによって液晶パネル２１を駆動させる駆動回路を実装した基板である。液晶パネル２１は、その内部に、垂直方向（上下方向）を向く複数の信号電極および水平方向（左右方向）を向く複数の走査電極を備えており、駆動回路基板２４ａ，２４ｂはそれぞれ、担当する信号電極の駆動を制御するための信号側駆動回路を実装している。本実施形態では、２つの駆動回路基板２４ａ，２４ｂを、液晶モジュール２０の前面と背面とを接続する上下左右の側面のうち上側を向いた側面２５に設置している。このような信号電極を駆動する信号側駆動回路を２つ備える構成は、基本的には画面サイズが所定の大きさ以上のモデルに適用され、本実施形態では、液晶モジュール２０の液晶パネル２１の画面サイズは２７インチ以上の大型モデルであるとしている。
【００１９】
このような構成にて、本実施形態では、コントロール基板２３と２つの駆動回路基板２４ａ，２４ｂとそれぞれフラットケーブル３０によって接続する。なお、液晶テレビジョン１００の組み立てにおいては、液晶モジュール２０の背面側を覆う不図示の背面側キャビネットも用いられ、前面側キャビネット１０と背面側キャビネットとによって１つのテレビジョン用の筐体が形成される。筐体内部には、液晶モジュール２０以外にも上記チューナや電源回路など液晶テレビジョン１００の実現に必要な不図示の各種公知の部品が収容される。
【００２０】
図２は、液晶モジュール２０の背面２６の一部を示している。また同図では、背面２６の上方に、側面２５を併せて図示している。
本実施形態では、コントロール基板２３は、液晶モジュール２０の上側の長辺２７付近において、液晶モジュール２０の垂直方向の中心線（１点鎖線）上に基板の略中心が位置する状態で設置される。また、コントロール基板２３には、駆動回路基板２４ａ，２４ｂとの接続に用いる４つのコネクタが、左（液晶テレビジョン１００の背面側から見た場合の左右における左側。以下同じ。）から、コネクタ２３ａ，２３ｂ，２３ｃ，２３ｄの順で、かつ、コネクタ２３ｂとコネクタ２３ｃとの間に上記垂直方向の中心線を挟んだ状態で取り付けられている。コネクタ２３ａ〜２３ｄはいずれも液晶モジュール２０の上側を向いた状態で取り付けられている。コネクタ２３ａ〜２３ｄは、上記第１コネクタおよび第１ケーブル接続部に対応する。
【００２１】
一方、側面２５では、上記垂直方向の中心線を挟んだ左右の領域において、一定の間隔を空けて駆動回路基板２４ａ，２４ｂを配設している。左側の駆動回路基板２４ａには、コントロール基板２３との接続に用いる２つのコネクタが、左からコネクタ２４ａ１，２４ａ２の順で、右側の駆動回路基板２４ｂには、コントロール基板２３との接続に用いる２つのコネクタが、左からコネクタ２４ｂ１，２４ｂ２の順でそれぞれ取り付けられている。コネクタ２４ａ１，２４ａ２，２４ｂ１，２４ｂ２は、上記第２コネクタおよび第２ケーブル接続部に対応する。
上記構成において、コネクタ２３ａとコネクタ２４ａ１、コネクタ２３ｂとコネクタ２４ａ２、コネクタ２３ｃとコネクタ２４ｂ１、コネクタ２３ｄとコネクタ２４ｂ２、の各組合せをフラットケーブル３０ａ〜３０ｄによって接続している。
【００２２】
本実施形態では、液晶テレビジョン１００の製造コスト削減や液晶モジュール２０の背面２６のスペースの有効利用などの観点から、コントロール基板２３を従来より小型化している。具体的には、基板の左右方向の幅を小さくしており、同図では小型化する前のコントロール基板２３の左右の幅を２点鎖線にて表している。よって、コントロール基板２３に取り付けた４つのコネクタ２３ａ，２３ｂ，２３ｃ，２３ｄの各間隔についても従来よりも縮小されている。つまり、４つのコネクタ２３ａ〜２３ｄは従来よりも垂直方向の中心線に寄った位置を取っている。一方、駆動回路基板２４ａ，２４ｂを設置する側面２５は非常に狭い領域であり、かつ駆動回路基板２４ａ，２４ｂ以外の部品との位置関係も考慮すると、駆動回路基板２４ａ，２４ｂの大きさおよび設置位置を変更することは容易ではない。
【００２３】
従って、上記のようにコントロール基板２３の小型化を行った結果、コントロール基板２３のコネクタ２３ａ〜２３ｄの取り付け位置の左右への広がりよも、駆動回路基板２４ａ，２４ｂのコネクタ２４ａ１，２４ａ２，２４ｂ１，２４ｂ２の取り付け位置の左右の広がりの方が広くなる。具体的には、コネクタ２３ｂ，２３ｃの間隔よりも、コネクタ２４ａ２，２４ｂ１の間隔の方が広く、コネクタ２３ａ，２３ｄの間隔よりも、コネクタ２４ａ１，２４ｂ２の間隔の方が広い。この結果、一本のフラットケーブル３０にて接続される関係にあるコネクタ同士は、液晶モジュール２０の表面に沿った互いからの延出線上からは外れた位置状態となっている。そこで、本実施形態では、図に示すようにフラットケーブル３０ａ〜３０ｄを折り曲げることにより、液晶モジュール２０の表面上における互いの延出線上において向き合っていないコネクタ同士を接続可能としている。
【００２４】
つまり、コネクタ２３ａとコネクタ２４ａ１とを接続するフラットケーブル３０ａおよび、コネクタ２３ｂとコネクタ２４ａ２とを接続するフラットケーブル３０ｂについては、コントロール基板２３から延出したケーブルの途中にてケーブルの面が重なるように左側に１回折り曲げ、かつ、この折り曲げた先の所定箇所にてケーブルの面が重なるように上方向に１回折り曲げる。この結果、コネクタ２３ａ，２３ｂと、コネクタ２３ａ，２３ｂよりもそれぞれ左側に位置するコネクタ２４ａ１，２４ａ２とを接続することが可能となる。
【００２５】
また、コネクタ２３ｃとコネクタ２４ｂ１とを接続するフラットケーブル３０ｃおよび、コネクタ２３ｄとコネクタ２４ｂ２とを接続するフラットケーブル３０ｄについては、コントロール基板２３から延出したケーブルの途中にてケーブルの面が重なるように右側に１回折り曲げ、かつ、この折り曲げた先の所定箇所にてケーブルの面が重なるように上方向に１回折り曲げる。この結果、コネクタ２３ｃ，２３ｄと、コネクタ２３ｃ，２３ｄよりもそれぞれ右側に位置するコネクタ２４ｂ１，２４ｂ２とを接続することが可能となる。
【００２６】
上記のように基板間を接続した４本のフラットケーブル３０ａ〜３０ｄは、内側２本のフラットケーブル３０ｂ，３０ｃが、コントロール基板２３から駆動回路基板２４ａ，２４ｂに上記ＲＧＢ信号を供給するために用いられ、外側２本のフラットケーブル３０ａ，３０ｄが、コントロール基板２３から駆動回路基板２４ａ，２４ｂに電源を供給するために用いられる。
【００２７】
フラットケーブルによる基板間の接続態様は上記の例に限られない。
図３は、フラットケーブルによる接続態様の他の例を示している。同図では、コントロール基板２３をより一層小型化するために、コネクタ２３ａ〜２３ｄのうち、コネクタ２３ａ，コネクタ２３ｄを、コネクタ基板２３の左右の各辺において左右方向の外側を向く状態で取り付けている。そして、コネクタ２３ａから左方向に延出させたフラットケーブル３０ａについては、その途中にてケーブルの面が重なるように上方向に略直角に１回折り曲げている。一方、コネクタ２３ｄから右方向に延出させたフラットケーブル３０ｄについては、その途中にてケーブルの面が重なるように上方向に略直角に１回折り曲げている。このようにフラットケーブル３０ａ，３０ｄを折り曲げることで、コネクタ２３ａとコネクタ２３ａよりも左方向外側に位置するコネクタ２４ａ１とを接続でき、コネクタ２３ｄとコネクタ２３ｄよりも右方向外側に位置するコネクタ２４ｂ２とを接続することが可能となる。
【００２８】
このように本発明によれば、液晶モジュール２０の背面２６に設置したコントロール基板２３を、液晶モジュール２０の上側側面２５における左右の領域に設置した２つの駆動基板回路２４ａ，２４ｂにフラットケーブル３０にて接続する場合に、基板間を繋ぐ各フラットケーブル３０について、その途中で面が重なるように折り曲げることによりその延出方向を略平行にずらしたり略直角に曲げるとした。従って、一本のフラットケーブル３０にて接続される関係にある各基板のコネクタ同士であって、液晶モジュール２０の表面に沿った互いからの延出線上から外れた位置に存在するコネクタ同士をフラットケーブル３０にて接続することが可能となった。その結果、基板におけるコネクタの取り付け位置の自由度が上がり、コントロール基板２３の小型化が容易に実現できるようになった。コントロール基板２３の小型化によって、液晶テレビジョン１００の製造コストが低減される。
【００２９】
また、コネクタ位置の自由度が向上したことによって、コントロール基板２３の背面２６における設置位置も自由となり、その結果、液晶モジュール２０の背面スペースの有効活用が可能となる。
また、コントロール基板２３の小型化や設置位置の変更がなされた場合にも、駆動基板回路２４ａ，２４ｂの側での基板の大型化や設置位置の変更といった付随作業は不要となったため、液晶テレビジョン１００の製造に際してそのような付随作業を要していた場合のコスト増が無くなる。
【図面の簡単な説明】
【００３０】
【図１】液晶テレビジョンの背面側斜視図。
【図２】フラットケーブルによる接続態様の一例を示した図。
【図３】フラットケーブルによる接続態様の他の例を示した図。
【図４】従来のフラットケーブルによる接続態様を示した図。
【符号の説明】
【００３１】
１０…前面側キャビネット
２０…液晶モジュール
２１…液晶パネル
２２…バックライトユニット
２３…コントロール基板
２３ａ，２３ｂ，２３ｃ，２３ｄ，２４ａ１，２４ａ２，２４ｂ１，２４ｂ２…コネクタ
２４ａ，２４ｂ…駆動回路基板
２５…側面
２６…背面
３０，３０ａ，３０ｂ，３０ｃ，３０ｄ…フラットケーブル
１００…液晶テレビジョン
【図１】
2007316311.tif 000003
【図２】
2007316311.tif 000004
【図３】
2007316311.tif 000005
【図４】
2007316311.tif 000006